(57)【要約】      （修正有）【課題】蓋体の上部に、メイン収納部へアクセスでき、小物を収納するバッグを出し入れできる副開口部を設けたスーツケースを提供する。【解決手段】スーツケースは、箱体と蓋体をヒンジで連結し、合わせ部を主開口部４とした直方体状の硬質樹脂製であり、主開口部近傍にホックまたは面ファスナーで係止されたメイン収納部を仕切る仕切り３０が設けられている。そして、蓋体の前面に上部側をファスナー５ａで開口する開口蓋３を設けて副開口部を形成し、小物物品を収納するバッグの上端を開放して副開口部における蓋体２と開口蓋３に脱着可能に吊持した。【選択図】図４
0003225283.tif 000002
【実用新案登録請求の範囲】
【請求項１】
箱体と蓋体をヒンジで連結した直方体状の硬質樹脂製のスーツケースにおいて、該ヒンジで開閉される主開口部近傍にメイン収納部を仕切る仕切りを設けるとともに、該蓋体の前面に上部側をファスナーで開口し副開口部を形成する開口蓋を設け、該仕切りは、四隅の少なくとも副開口部近くの一つをホックまたは面ファスナーで係止し、該副開口部の該開口蓋と該蓋体に小物物品を収納するバッグをその上端を開放して脱着可能に吊持したことを特徴とするスーツケース。
【考案の詳細な説明】
【技術分野】
【０００１】
本考案は、蓋体の前面に設けた副開口部からメイン収納部へアクセスできる硬質樹脂製のスーツケースに関するものである。
【背景技術】
【０００２】
硬質樹脂製のスーツケースは、箱体と蓋体をヒンジで二つ割りに開口する主開口部を有し、丈夫にできているが、荷物を出し入れする場合は、主開口部を開口し、横に寝かせた状態（箱体と蓋体それぞれの表面が床面に接地した状態）で行わなければならない。
しかし、空港ロビーなど他人の多いところで主開口部を開口することは避けたいので、スーツケースにスペースがあっても出し入れすると思われる物は収納せずに別途手荷物にならざるを得ない。
【０００３】
そこで、主開口部の外にボディの一部を開口できる副開口部を設けて、スーツケースを縦置き（縦に長い直方体の状態）のままでモバイル機器など使用頻度の高い小物が出し入を出し入れできるようにしたものが開発されている（例えば特許文献１参照）。
特許文献１のスーツケースは、出願人が開発したもので、副開口部として蓋体の前面上部にファスナーで開閉できる開口蓋を設け、モバイル機器を収納する収納袋を該開口蓋から脱着可能に蓋体内側のスペースに付設したものである。
【先行技術文献】
【特許文献】
【０００４】
【特許文献１】実用新案登録３２１３２５２号公報
【考案の概要】
【考案が解決しようとする課題】
【０００５】
特許文献１のスーツケースはパソコンなどのモバイル機器をクッションを介して保持され、スーツケースを寝かさなくても副開口部から簡便に出し入れできる。
このモバイル機器の収納部はスーツケースのメイン収納部とはファスナーで開閉できる仕切りが設けられているが、該開口蓋から手を入れて操作して仕切りを開放することはスーツケースが縦置き状態ではかなり困難である。したがって、メイン収納部へ収納した荷物を取り出す場合は、スーツケースを寝かせて主開口部を開口しなければならない。
【０００６】
また、モバイル機器以外にも、季節の異なる地域へ出かける場合など、コートなど嵩張るものは手に持ちたくないので、メイン収納部へ出し入れすることが必要になり、このような場合に主開口部を開口しなくても出し入れしたいという要望がある。
更に、モバイル収納部にモバイルなどの小物等収納するものがない場合はポケット内装仕切りがメイン収納部の邪魔になり、荷物の収納スペースを狭めている。また、脱着できる内装は従来の構造では外した内装は他に使い道がなく保管が煩わしい。
【０００７】
本考案は、上記の問題点を解消するものであり、スーツケースを縦置きの状態で副開口部からメイン収納部へ簡便にアクセスでき、モバイル機器など小物があるときはこれを収納するバッグを副開口部から出し入れできるスーツケースを提供することを目的としている。
【課題を解決するための手段】
【０００８】
上記の目的を解決するため、本考案のスーツケースは、次のように構成した。すなわち、箱体と蓋体をヒンジで連結した直方体状の硬質樹脂製のスーツケースにおいて、該ヒンジで開閉される主開口部近傍にメイン収納部を仕切る仕切りを設けるとともに、該蓋体の前面に上部側をファスナーで開口し副開口部を形成する開口蓋を設け、該仕切りは、四隅の少なくとも副開口部近くの一つをホックまたは面ファスナーで係止し、該副開口部の該開口蓋と該蓋体に小物物品を収納するバッグをその上端を開放して脱着可能に吊持したことを特徴としている。
【０００９】
硬質樹脂製スーツケースは、キャスターと伸縮できるキャリーハンドルを備えたものが、一般的であるが、本考案は、特に、これを備えたものに限定するものではない。
副開口部の形状および大きさは特に問わないが、スーツケースを縦置きの状態で、開口蓋を開口でき、モバイル機器など使用頻度の高いものが出し入れできる大きさとすればよい。開口蓋は、開口しすぎないように（３０〜５０度）、蓋体と開口蓋をベルトで連結するとよい。なお、開口部は、密封性を保つように構成する。
【００１０】
メイン収納部を仕切る仕切りは、主開口部の面全体を覆うように設けられるが、簡便に外すことができるように、ホックまたは面ファスナーで係止する。ホックまたは面ファスナーは、スーツケース内の四隅全てに設ける必要はなく、一箇所でもよい。ただし、外すところは、副開口部の近くとする。
【００１１】
バッグは、材質は特に問わないが開口蓋を開口してスムーズに装入できるように軟質なものがよい。また、単体としても使用できるもので、上端はファスナーで閉鎖でき、モバイル機器などを収納できるようにクッションを付設するとよい。
バッグは上端側を開口して、その上端部の一方を蓋体の上面へ、他方を開口蓋の上面に脱着可能に係止する。係止手段は特に問わないが、蓋体および開口蓋に付設するとよい。
【考案の効果】
【００１２】
本考案の硬質樹脂製のスーツケースは、メイン収納部を仕切る仕切りをホックまたは面ファスナーで係止するとともに該蓋体の前面に上部側をファスナーで開口し副開口部を形成する開口蓋を設けたので、メイン収納部へ収納した上着やコートなど嵩張るものでも副開口部から仕切りを外せば、主開口部を開口しなくても出し入れすることができる。
また、モバイル機器など取り出すことが多い小物はバッグに収納して副開口部に吊持すればよく、長時間出しておく場合は、バッグ毎取り出すことができる。さらに、収納する小物がないときは、バッグを取り出し、収納スペースを大きくできる。なお、取り出したバッグは単独で使用できる。
【図面の簡単な説明】
【００１３】
【図１】本考案のスーツケースの実施の形態を示す全体斜視図である。
【図２】同、スーツケースの主開口部を開口した状態を示す平面図である。
【図３】同、副開口部を開口したときの状態を示す斜視図である。
【図４】同、副開口部の側面断面図である。
【図５】同、バッグの実施の形態を示す斜視図である。
【図６】同、バッグをスーツケースへ取り付ける状態を示す斜視図である。
【考案を実施するための形態】
【００１４】
本考案のスーツケースの実施の形態を、図１〜図６に基づいて説明する。
図１は、本考案のスーツケースを縦置きにした全体を示す斜視図で、硬質樹脂からなる箱体１と蓋体２がヒンジで連結され、合わせ面にはフレーム４ａが付設され、主開口部４を形成している。
そして、スーツケースを縦置きにしたとき、蓋体２の上部側にファスナー５ａで開閉する開口蓋３が設けられ、副開口部５を形成している。なお、５ｂは、副開口部５を開口するヒンジである。図中、６はトップハンドル、８はキャリーハンドル、７はキャスターである。
【００１５】
図２は、主開口部４を開口したときの平面図で、箱体１および蓋体２のそれぞれの主開口部４の近傍には仕切り３０，３１が脱着可能に設けられている。
仕切り３０，３１の内端部３０ａ、３１ａ（ヒンジ寄り）は、箱体１および蓋体２に固着され、外端部には係止具３３が付設されており、箱体１および蓋体２に固設された止金具３２に係止するように構成されている。また、仕切り３０，３１には小物を収納するためのポケット３５が設けられており、それぞれにファスナー３６が付設されている。なお、図２において、３７は収納物を固定するためのバンドである。
【００１６】
図３は、副開口部５を開口した状態を示す斜視図で、図４は側面図である。
副開口部５は、ファスナー５ａを操作して開口蓋３を外側へ開くことにより蓋体２の前面上部に形成される。
開口蓋３の左右端には、副開口部５の開口量を所定量に規制するため、係止ベルト９ｂが付設されており、蓋体２に固設された係止ベルト９ａと互いに先端に取り付けられたホックを連結して使用する。
【００１７】
副開口部５の蓋体２と開口蓋３の上端には、モバイル機器など小物を収納するためのバッグ１０が上面を開口した状態で脱着可能に吊持されている。
このバッグ１０は布製で、外観が図５に示す如く直方体で、蓋面１７の端部周囲にファスナー１３が付設され、上端にバッグハンドル２０を備えている。なお、図５において、１９は形を整えるための芯材で、１８ａは、スーツケースの蓋体２に取り付けられた脱着金具１８が差し込まれる係止穴である。
【００１８】
図６は、バッグ１０のファスナー１３を操作して蓋面１７を開口した斜視図である。
背面１６にはモバイル機器を収納できるようにポケット１１が設けられ、保持するためのバンド１２が付設されている。
そして、蓋面１７の上端近くには、副開口部５の開口蓋３の上端裏面に付設したホック１４と嵌着するホック１４が付設されている（図３および図４参照）。なお背面１６側は蓋体２に取り付けられた脱着金具１８を係止穴１８ａに差し込んで９０度回転させて保持させている。
【００１９】
図４に示すように、バッグ１０の下端はスーツケースの底面から浮いた状態で、背面側には、仕切り３０が取り付けられている。したがって、バッグ１０をスーツケースから取出したときは蓋体２の内側に大きなスペースができる。
【００２０】
次に、このように構成された本考案のスーツケースの作用について説明する。
時々出し入れする小物がないとき、または、バッグ１０に収納して手に持っていく場合のなどスーツケースにバッグ１０を収納しないときは、蓋体２内部はバッグ１０のない通常のスーツケースと同じスペースを収納スペースとして使用できる。
しかも、横に寝かせて主開口部４を開口しなくても、スーツケースを縦置き状態で開口蓋３を開口して副開口部５から蓋体２内の例えば、気候の違う場所への行き帰りで、上着やコートなどを簡便に出し入れできる。
【００２１】
また、蓋体２側に収納した荷物はもとより、箱体１側に収納したものも、副開口部５から仕切り３０，および仕切り３１の一隅を簡単に外せるので、メイン収納部へのアクセスができ、収納物の出し入れが可能である。
なお、副開口部５からの出し入れを考慮してスーツケースに収納すれば、箱体１の奥から取り出すことは避けられ、主開口部４を開口することを少なくできる。また、バッグ１０はスーツケースと対ではなく、これ単独で使用可能である。
【００２２】
一方、モバイル機器をスーツケースへ収納することが予想されるときは、スーツケースを縦置きの状態で、開口蓋３を開口して、バッグ１０を吊持する。すなわち、バッグ１０をファスナー１３を操作して蓋面１７を開けた状態で副開口部５へ挿入し、蓋体２に取り付けられた脱着金具１８にバッグ１０の係止穴１８ａを嵌入させて、脱着金具１８を回転させて保持し、蓋面１７は上端に付設されているホック１４を開口蓋３の上端裏面に付設されているホック１４と嵌着して保持する。
モバイル機器を収納するときは、バンド１２を外して、ポケット１１に収納し、バンド７を止め、開口蓋３を閉じ、ファスナー５ａを操作して副開口部５を閉鎖する。
【００２３】
モバイル機器は、バッグ１０のポケット１１に収納されてバンド１２で保持され、バッグ１０は芯材１９で一定の形状に固定され、上端を脱着金具１８で吊持されているので、搬送過程でスーツケースが乱暴に扱われても、ポケット８に収納されたモバイル機器は、不用意にスーツケース内を移動することはない。なお、必要ならバッグ１０にクッションを付設すればよい。
【００２４】
なお、上記の実施の形態においては、収納する小物をモバイル機器として説明したが、本考案はこれに限るものではなく、収納したり、取出したりすることが考えられるものであればよい。また、仕切り３０，３１の係止に止め金具３２と、係止材３３で説明したが、面ファスナーでも同様の効果が得られることは当然である。
また、開口蓋３の開口量を係止ベルト９ａ，９ｂで調整するようにしたが、バックルなど接合できるものであればよい。また、スーツケース中央部のフレーム４ａは、ファスナーでもよい。
【符号の説明】
【００２５】
１  箱体
２  蓋体
２ａ  面ファスナー
３  開口蓋
４  主開口部
４ａ  フレーム
５  副開口部
５ａ  ファスナー
６  トップハンドル
７  キャスター
８  キャリーハンドル
９ａ  係止ベルト
９ｂ  係止ベルト
１０  バッグ
１１  ポケット
１２  バンド
１３  ファスナー
１４  ホック
１５  バッグポケット
１６  背面
１７  蓋面
１８  脱着金具
１９  芯材
２０  バッグハンドル
２１  支持ベルト
３０  仕切り
３０ａ  内端部
３１ａ  内端部
３２  止金具
３３  係止材
３５  ポケット
３６  ファスナー
３７  バンド
【図１】
0003225283.tif 000003
【図２】
0003225283.tif 000004
【図３】
0003225283.tif 000005
【図４】
0003225283.tif 000006
【図５】
0003225283.tif 000007
【図６】
0003225283.tif 000008